(57)【要約】【課題】  運搬等の廃棄過程においても、収納してある汚物が外部に露出しないので、汚物の廃棄処理を衛生的に行なうことができる汚物収納袋の提供を課題とする。【解決手段】  汚物収納袋１０は、３枚の柔軟性不透水シート材１，２，３によって構成されている。同一幅の３枚のシート材１，２，３の側辺部は接合されており汚物収納袋１０の側辺部１０ａ，１０ｂを形成している。シート材２の一端側２ａはシート材１と接合されており第１の袋体１１を形成し、シート材２の他端側２ｂはシート材３と接合されており第２の袋体１２を形成している。【選択図】  図１
0003133308.tif 000002
【実用新案登録請求の範囲】
【請求項１】
同一幅で略同一の長さを有する第１，第２，第３の３枚の柔軟性不透水シート材から構
成される汚物収納袋であって、
前記第１，第２，第３の柔軟性不透水シート材のそれぞれの幅方向の両端に位置する側
辺部が互いに一致するように重ねられた状態で、当該３枚の柔軟性不透水シート材の前記
側辺部が全て接合され、
前記第２の柔軟性不透水シート材の長さ方向の一端側が、これと対向する前記第１の柔
軟性不透水シート材と前記幅方向に沿って全辺に亘り接合され、当該第１，第２の柔軟性
不透水シート材によって第１の袋体が形成され、
前記第２の柔軟性不透水シート材の前記長さ方向の他端側が、これと対向する前記第３
の柔軟性不透水シート材と前記幅方向に沿って全辺に亘り接合され、当該第２，第３の柔
軟性不透水シート材によって第２の袋体が形成されていることを特徴とする汚物収納袋。
【請求項２】
前記第１，第２，第３の３枚の柔軟性不透水シート材は、該柔軟性不透水シート材と同
じ幅の帯状の柔軟性不透水シート材にその長さ方向に沿って順次連続して形成されており
、前記汚物収納袋は、前記帯状の柔軟性不透水シート材を、前記第１，第２，第３の３枚
の柔軟性不透水シート材が互いに重なるようにつづら折りに折り畳んだ状態で、当該３枚
の柔軟性不透水シート材の前記側辺部が全て接合されることによって形成されていること
を特徴とする請求項１に記載の汚物収納袋。
【考案の詳細な説明】
【技術分野】
【０００１】
本考案は、使用済のおむつ等の汚物を収納して廃棄することができる汚物収納袋に関す
るものである。
【背景技術】
【０００２】
現在、使用済のおむつのような汚物は、所謂「レジ袋」などに入れた状態で廃棄されて
いる。
【０００３】
すなわち、図７（ａ）ないし（ｄ）に示したように、使用済のおむつＤをおむつ使用者
（本図では「赤ん坊」）Ｂから外し、折り畳み、この折り畳んだ使用済のおむつＤを所謂
「レジ袋」２０に入れて、ゴミ箱３０等に捨てている。
【０００４】
しかしながら、所謂「レジ袋」２０を開封状態のままでゴミ箱３０に捨てた場合には、
ゴミ箱３０の内で、使用済のおむつＤが所謂「レジ袋」２０から出てしまうことがあり、
このようなときには、使用済のおむつＤの内容物が外部に露出してしまい、不衛生な状態
となってしまうとともに、臭気も発生してしまう。
【０００５】
このような問題の発生を防ぐために、多くの人々は、図８（ａ）ないし（ｃ）に示した
ように、おむつ使用者Ｂに装着されている使用済のおむつＤを、おむつ使用者Ｂから外し
て折り畳み、この折り畳んだおむつＤを所謂「レジ袋」２０に収納し、所謂「レジ袋」２
０の開口部を結んだ状態にしてから、ゴミ箱等に捨てている。
【考案の開示】
【考案が解決しようとする課題】
【０００６】
しかしながら、図８（ｃ）に示したように、使用済のおむつＤのような汚物を収納した
所謂「レジ袋」２０の開口部を結んでからゴミ箱等に捨てた場合には、以下のような新た
な問題が生じる。
【０００７】
すなわち、開口部が結ばれている所謂「レジ袋」２０のような収納袋が圧迫された場合
、例えば図８（ｄ）に示したようにゴミ収集車Ａの機械によって所謂「レジ袋」２０が圧
迫された場合には、所謂「レジ袋」２０が破裂して、内に収納してある汚物が外部に露出
してしまうという新たな問題が生じてしまう。
【課題を解決するための手段】
【０００８】
以上の問題を解消するために、本考案は、同一幅で略同一の長さを有する第１，第２，
第３の３枚の柔軟性不透水シート材から構成される汚物収納袋であって、前記第１，第２
，第３の柔軟性不透水シート材のそれぞれの幅方向の両端に位置する側辺部が互いに一致
するように重ねられた状態で、当該３枚の柔軟性不透水シート材の前記側辺部が全て接合
され、前記第２の柔軟性不透水シート材の長さ方向の一端側が、これと対向する前記第１
の柔軟性不透水シート材と前記幅方向に沿って全辺に亘り接合され、当該第１，第２の柔
軟性不透水シート材によって第１の袋体が形成され、前記第２の柔軟性不透水シート材の
前記長さ方向の他端側が、これと対向する前記第３の柔軟性不透水シート材と前記幅方向
に沿って全辺に亘り接合され、当該第２，第３の柔軟性不透水シート材によって第２の袋
体が形成されていることを特徴とするものである。
【０００９】
ここで前記第１，第２，第３の３枚の柔軟性不透水シート材は、該柔軟性不透水シート
材と同じ幅の帯状の柔軟性不透水シート材にその長さ方向に沿って順次連続して形成され
ており、前記汚物収納袋は、前記帯状の柔軟性不透水シート材を、前記第１，第２，第３
の３枚の柔軟性不透水シート材が互いに重なるようにつづら折りに折り畳んだ状態で、当
該３枚の柔軟性不透水シート材の前記側辺部が全て接合されることによって形成されてい
てもよい。
【考案の効果】
【００１０】
本考案によれば、運搬等の廃棄過程においても、収納してある汚物が外部に露出しない
ので、汚物の廃棄処理を衛生的に行なうことができる。
【考案を実施するための最良の形態】
【００１１】
以下、図面を用いて本考案の実施例を説明する。
【実施例１】
【００１２】
図１（ａ），（ｂ）は、本考案の実施例１の構成を示す構成図であり、（ａ）は斜視図
であり、（ｂ）はその縦断面を示した図である。
【００１３】
図１（ａ）において、Ｘは汚物収納袋１０の幅方向を示し、Ｙは長さ方向を示している
。
【００１４】
図１（ａ），（ｂ）に示したように本実施例１に係る汚物収納袋１０は、第１の柔軟性
不透水シート材（以下、単に「シート材」という）１，第２のシート材２，第３のシート
材３という３枚のシート材によって構成されている。
【００１５】
３枚のシート材１，２，３は、同一の幅を有しており、また略同じ長さを有している。
【００１６】
３枚のシート材１，２，３は、それぞれの幅方向Ｘの両端に位置する側辺部が、互いに
一致するように重ねられた状態で接合されており、この３枚のシート材が接合された側辺
部が、汚物収納袋１０の側辺部１０ａ，１０ｂを形成している。
【００１７】
また、シート材２の長さ方向Ｙの一端側（図１（ａ），（ｂ）では上端側）２ａが、こ
れと対向しているシート材１と幅方向Ｘに沿って全辺に亘って接合されている。
【００１８】
このように本実施例１では、第１のシート材１と第２のシート材２によって第１の袋体
１１が構成されている。
【００１９】
さらに、シート材２の長さ方向Ｙの他端側（図１（ａ），（ｂ）では下端側）２ｂが、
これと対向しているシート材３と幅方向Ｘに沿って全辺に亘って接合されている。
【００２０】
このように本実施例１では、第２のシート材２と第３のシート材３によって第２の袋体
１２が構成されている。
【００２１】
次に、以上のように構成された本実施例１の使用方法を図２ないし図５を用いて説明す
る。
【００２２】
先ず、図２（ａ）に示したように、赤ん坊や病人のようなおむつ使用者Ｂに装着されて
いるおむつＤをおむつ使用者Ｂから外して、図２（ｂ）に示したように折り畳む。
【００２３】
ここで、図２（ｃ）に示したように、使用者は、一方の手Ｈ１を下方から第１の袋体１
１内に差し入れる。この状態で、図２（ｄ）に示したように、使用者は、折り畳んだ使用
済のおむつＤを上方から第２の袋体１２内に収納する。
【００２４】
図３は、図２（ｄ）の状態の縦断面図を示したものである。この状態で、使用者は、一
方の手Ｈ１で、収納されているおむつＤをシート材２と共に掴んで図４（ａ）に示した状
態にする。
【００２５】
ここで、使用者は、図４（ａ）に示したように、他方の手Ｈ２でシート材１の下端側を
掴んで、図４（ｂ）に示したように、シート材１を裏返すようにしてシート材１の下端側
を上方に引っ張る。
【００２６】
手Ｈ２でシート材１の下端側を上方に引っ張るのに連動して、図５（ａ）に示したよう
に、おむつＤ及びシート材２を掴んだ手Ｈ１を使用者が下方に移動させることにより、図
５（ｂ）に示したような状態となって、本実施例１に係る汚物収納袋１０による使用済の
おむつＤの収納は完了する。
【００２７】
図６は、図５（ｂ）で示した収納完了状態における本実施例１の縦断面図である。
【００２８】
図６に示したように、汚物の収納完了状態の本実施例１においては、シート材１とシー
ト材２によって形成される袋体の内部に、おむつＤを収納した第２の袋体１２が開口部を
下方に位置させた状態で配設されることになるので、収納されている使用済のおむつＤが
汚物収納袋１０の外部に出るようなことはない。
【００２９】
また、この状態において、本実施例１に係る汚物収納袋１０は、閉塞状態になっていな
いので、外部の力により圧迫されたとしても、汚物収納袋１０が破裂するようなことはな
く、従って収納されている使用済のおむつＤが外部に露出するようなこともない。
【００３０】
さらに、図６に示した状態で放置しておいた場合、汚物収納袋１０の内部に配設されて
いる第２の袋体１２内の空気は、ほとんど外部に漏れ出さないので、使用済のおむつＤか
ら発生する臭気は、ほとんど第２の袋体１２内に留まり、外部に流出しない。
【００３１】
ここで、以上説明した実施例１においては、汚物収納袋１０は別体である３枚のシート
材１，２，３によって構成されているが、この実施例１は以下のようにしても製造するこ
とができる。
【００３２】
すなわち、シート材１，２，３と同一の材質の同じ幅を有する帯状のシート材を用いて
、この帯状のシート材の長さ方向に沿ってシート材１，２，３を順次連続して割り当てて
、この割り当てられたシート材１，２，３が互いに重なるようにつづら折りに折り畳んだ
状態で、幅方向の両端に位置する２つの側辺部で、折り畳まれた３枚のシート材１，２，
３を全て接合することによっても本実施例１を製造することができる。
【図面の簡単な説明】
【００３３】
【図１】本考案の実施例１の構成を示す構成図である。
【図２】本考案の実施例１の使用方法の説明図である。
【図３】本考案の実施例１の使用方法の説明図である。
【図４】本考案の実施例１の使用方法の説明図である。
【図５】本考案の実施例１の使用方法の説明図である。
【図６】本考案の実施例１の使用方法の説明図である。
【図７】従来の汚物の処理方法の説明図である。
【図８】従来の汚物の処理方法の説明図である。
【符号の説明】
【００３４】
１，２，３  柔軟性不透水シート材
２ａ  一端側
２ｂ  他端側
１０  汚物収納袋
１０ａ，１０ｂ  側辺部
１１  第１の袋体
１２  第２の袋体
２０  「レジ袋」
３０  ゴミ箱
Ａ  ゴミ収集車
Ｂ  おむつ使用者
Ｄ  おむつ
Ｈ１，Ｈ２  手
Ｘ  幅方向
Ｙ  長さ方向
【図１】
0003133308.tif 000003
【図２】
0003133308.tif 000004
【図３】
0003133308.tif 000005
【図４】
0003133308.tif 000006
【図５】
0003133308.tif 000007
【図６】
0003133308.tif 000008
【図７】
0003133308.tif 000009
【図８】
0003133308.tif 000010